【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
チャンネル一時記憶部と、
記憶部とを備え、
前記チャンネルスキャン処理は、
前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、
前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む、
ことを特徴とするデジタル放送受信装置。
【請求項２】
複数の放送方式のデジタル放送を受信可能に構成されたチューナ部と、
前記複数の放送方式に対応する複数の復調処理ロジックのいずれかに切替可能であり、前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記チャンネルスキャン処理では、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、
前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録する
ことを特徴とするデジタル放送受信装置。
【請求項３】
複数の放送方式のデジタル放送を受信可能に構成されたチューナ部と、
前記複数の放送方式に対応する複数の復調処理ロジックのいずれかに切替可能であり、前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記チャンネルスキャン処理では、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、
前記チャンネルスキャンの過程で、前記第１の放送方式の視聴可能チャンネルではないが受信電力がある閾値以上存在する場合に、前記第２の放送方式の視聴可能チャンネルかを検出する処理を実施し、該視聴可能チャンネルであった場合に前記第２の放送方式の視聴可能チャンネルとして前記記憶部に登録する
ことを特徴とするデジタル放送受信装置。
【請求項４】
前記視聴可能チャンネルとなり得る受信電力の最小値がより小さい放送方式を前記第１の放送方式とすることを特徴とする請求項１から３のいずれか１項に記載のデジタル放送受信装置。
【請求項５】
現在位置情報を取得する現在位置取得部と、
前記複数の放送方式の各々の運用チャンネル数を地域毎に保持するメモリと
をさらに備え、
前記スキャン制御部は、前記複数の放送方式の中から、前記現在位置取得部が取得する現在位置において運用チャンネル数の多い放送方式を前記第１の放送方式とする
ことを特徴とする請求項１から３のいずれか１項に記載のデジタル放送受信装置。
【請求項６】
前記スキャン制御部は、前記複数の放送方式の内の運用チャンネル数の多い方の放送方式を前記第１の放送方式とすることを特徴とする請求項１又は２に記載のデジタル放送受信装置。
【請求項７】
前記スキャン制御部は、前記複数の放送方式の中から、前記復調部における復調処理時間が短い放送方式を選択し、前記選択された放送方式を前記第１の放送方式とする
ことを特徴とする請求項１又は２に記載のデジタル放送受信装置。
【請求項８】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
チャンネル一時記憶部と、
記憶部とを備え、
前記スキャン制御部は、前記チャンネルスキャン処理として、
前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む第１のチャンネルスキャン処理、及び、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録する第２のチャンネルスキャン処理のいずれかを選択する
ことを特徴とするデジタル放送受信装置。
【請求項９】
前記スキャン制御部は、復調処理ロジック切替時間、チューニング時間、放送方式運用チャンネル数を用いて前記第１のチャンネルスキャン処理に要する時間と前記第２のチャンネルスキャン処理に要する時間とを算出し、前記第１のチャンネルスキャン処理及び前記第２のチャンネルスキャン処理の内の処理に要する時間が短い処理を選択して実行することを特徴とする請求項８に記載のデジタル放送受信装置。
【請求項１０】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記複数の放送方式の内の第１の放送方式及び第２の放送方式のデジタル放送の周波数帯域の全体に対するチャンネルスキャン処理を実行する過程において、
前記チューナ部が対象チャンネルをチューニングした後に、前記スキャン制御部が前記第１の放送方式の放送波の存在確認を行い、
前記第１の放送方式の放送波が存在すると判定されたときには、前記復調部による前記第１の放送方式の復調処理及び前記デマルチプレクス部によるデータ取得処理を行い、
前記第１の放送方式の放送波が存在しないと判定されたときには、前記第２の放送方式の放送波の存在確認を行わない
ことを特徴とするデジタル放送受信装置。
【請求項１１】
前記複数の放送方式の内の第１の放送方式及び第２の放送方式のデジタル放送の周波数帯域の全体に対するチャンネルスキャン処理を実行する過程において、
前記チューナ部が対象チャンネルをチューニングした後に、前記スキャン制御部が前記第１の放送方式の放送波の存在確認を行い、前記放送波が存在すると判定されたときには、
前記復調部による前記第１の放送方式の復調処理及び前記デマルチプレクス部によるデータ取得処理を行い、
前記データ取得処理の結果、予め決められたデータが取得できないときには、前記復調部による前記第２の放送方式の復調処理及び前記デマルチプレクス部によるデータ取得処理を行う
ことを特徴とする請求項１０に記載のデジタル放送受信装置。
【請求項１２】
前記スキャン制御部は、複数の放送方式の運用チャンネル数を含む情報を記憶するメモリを有し、
前記スキャン制御部は、前記複数の放送方式の内の運用チャンネル数の多い放送方式を前記第１の放送方式とする
ことを特徴とする請求項１０にデジタル放送受信装置。
【請求項１３】
前記スキャン制御部は、前記複数の放送方式の内の運用チャンネル数の多い放送方式を前記第１の放送方式とすることを特徴とする請求項１０にデジタル放送受信装置。
【請求項１４】
前記第１の放送方式はＤＶＢ−Ｔ２方式であり、前記第２の放送方式はＤＶＢ−Ｔ方式であることを特徴とする請求項１０から１３のいずれか１項に記載のデジタル放送受信装置。
【請求項１５】
前記復調部は、
前記チューナ部から出力された複数の放送方式の信号を復調する処理を行う復調処理部と、
前記チューナ部から出力された複数の放送方式の信号の放送方式を検出する放送方式検出部とを有し、
前記放送方式検出部は、データシンボルに対して、該データシンボルをＦＦＴサイズ分遅延させたデータとの積又は排他論理和を行うことで、受信放送波の伝送モードを検出し、検出した前記積又は排他的論理和の出力からガードインターバル値を求め、該伝送モード及びガードインターバルの組み合わせが当該放送方式に特有の組み合わせである場合に、当該放送波を受信中であると判断する
ことを特徴とする請求項１０から１４のいずれか１項に記載のデジタル放送受信装置。
【請求項１６】
複数の放送方式のデジタル放送を受信する視聴用の受信系統をさらに備え、
前記視聴用の受信系統は、前記記憶部に記憶されている情報を参照して視聴用の受信チャンネルを選局する
ことを特徴とする請求項１から１５のいずれか１項に記載のデジタル放送受信装置。
【請求項１７】
前記記憶部に記憶されている情報を参照して前記チューナ部及び前記復調部に視聴用の受信チャンネルを選局させる選局制御部をさらに備えたことを特徴とする請求項１から１５のいずれか１項に記載のデジタル放送受信装置。
【手続補正２】
【補正対象書類名】明細書
【補正対象項目名】００４１
【補正方法】変更
【補正の内容】
【００４１】
次に、第２フェーズの放送方式Ｂのチャンネルに対するチャンネルスキャンでは、第１フェーズのチャンネルスキャンで、電波の受信レベルが閾値Ｔｂよりも大きいが、この電波から生成された電気信号を復調できなかったチャンネル番号「２５ｃｈ」及び「３４ｃｈ」のチャンネル（放送方式Ｂの視聴可能チャンネル候補）のみを対象にチャンネルスキャンが行われる。そして、これらチャンネルが放送方式Ｂの放送波を送信している場合には、第２の復調部２２で復調を行うことができ、スキャン制御部２５は、選局情報を抽出し記憶部２４のサービスリストに検出したサービスを登録する。